(57)【要約】      （修正有）【課題】畝に被覆されたマルチフィルムを剥ぎ取る作業と、剥ぎ取って乾燥させた後のマルチフィルムを巻取回収する作業とを一台の装置で行う。【解決手段】台車１４上に搭載された原動機１５で回転駆動される巻取ドラムにマルチフィルムＦを巻き取るもので、巻取ドラムは複数本の巻取アームを周方向に隣接配置して形成しており、巻取時には巻取ドラムを拡径する共に巻取終了後には縮径させ、巻取ドラムに巻回されたマルチフィルムＦを軸線方向に抜き取って回収する装置において、巻取ドラムの外周側に取り付けられ周方向に隣接する各巻取アームの間の隙間を覆うカバーと、カバーの外周面側に押し当て可能な圧接ローラ２７、２９とを備え、巻取ドラムの回転によりカバーと圧接ローラ２７、２９との間でマルチフィルムＦを挟みながら送り出してマルチフィルムＦの剥ぎ取り作業を行う。【選択図】図１
2005095130.tif 000002
【特許請求の範囲】
【請求項１】
機体上に搭載された原動機で回転駆動される巻取ドラムにマルチフィルムを巻き取るもので、上記巻取ドラムは回転主軸に連繋して複数本の巻取アームを周方向に拡縮可能に隣接配置して形成しており、巻取時には巻取ドラムを拡径する共に巻取終了後には縮径させ、巻取ドラムに巻回された上記マルチフィルムを軸線方向に抜き取って回収する装置において、
上記隣接する巻取アームの外周面間の隙間を覆うように取り付けられたカバーと、
該カバーの外周面側に押し当て可能な圧接ローラとを備え、
上記巻取ドラムの回転により、上記カバーと上記圧接ローラとの間でマルチフィルムを挟みながら送り出すことで、マルチフィルムの巻き取りを行わずに畝からの剥ぎ取りのみを行うことができることを特徴としているマルチフィルムの剥取・巻取両用装置。
【請求項２】
上記圧接ローラの上記カバー外周面に対する接触圧を任意に調整可能とする手段を備えている請求項１に記載のマルチフィルムの剥取・巻取両用装置。
【請求項３】
上記カバーの外周面には滑り止め部材が取り付けられ、上記圧接ローラと該滑り止め部材との間で上記マルチフィルムを挟むグリップ力を高めている請求項１または請求項２に記載のマルチフィルムの剥取・巻取両用装置。
【請求項４】
車輪を設けた機体と、
上記機体上に搭載された原動機で回転駆動される巻取ドラムと、
上記巻取ドラムの外周面側に押し当て可能な圧接ローラとを備え、
上記巻取ドラムの回転により、上記圧接ローラと上記巻取ドラムとの間でマルチフィルムを挟みながら送り出して上記マルチフィルムを畝から剥ぎ取ると共に、該マルチフィルムを上記剥ぎ取る際の反力により機体自体が自走することを特徴としているマルチフィルムの剥取装置。
【発明の詳細な説明】
【技術分野】
【０００１】
本発明は、マルチフィルムの剥取・巻取両用装置および剥取装置に関し、詳しくは、畝に被せられているマルチフィルム等を使用後に巻き取って回収する巻取装置を、マルチフィルムを巻き取らずに畝から剥ぎ取るだけの作業にも兼用できるようにするものである。
【背景技術】
【０００２】
従来、畝に被せられているマルチフィルムを使用後に回収するマルチフィルム回収機は、走行車台上に搭載した巻取ドラムを回転駆動させて畝よりマルチフィルムを剥ぎ取りながら巻取ドラムの外周面にマルチフィルムを巻き付けていき、巻付終了後に巻取ドラムより軸線方向に引き抜いて回収している。例えば、図８に示すマルチフィルム回収機７では、走行台車のフレーム７ａ上に原動機７ｂを搭載し、原動機７ｂで巻取装置１の巻取ドラム５を回転駆動し、畝Ｕに被せられたマルチフィルムＦを剥ぎ取りながら巻き取っている。そして、この剥ぎ取られるマルチフィルムＦの張力によりマルチフィルム回収機７は畝Ｕに沿って自動的に走行移動され、連続的にマルチフィルムＦを巻取り回収している。
【０００３】
図９に示すように、巻取装置１は回転主軸２の周囲に同心円上で棒形状の巻取アーム３を複数本配置しており、これら巻取アーム３は、回転主軸２の両端部近傍でリンク部材４を介して結合し、各巻取アーム３を径方向に拡縮可能にして巻取ドラム５を形成している。また、各巻取アーム３と回転主軸２の間にバネ材Ｂを連結して各巻取アーム３を拡径位置となるように付勢している。さらに、回転主軸２の両側端部にフランジ６−１、６−２を取り付け、巻き取るマルチフィルムＦをガイドしている。かつ、一方のフランジ６−２を回転主軸２に対して着脱自在とし、巻取ドラム５にマルチフィルムＦを巻き取った後にフランジ６−２を取り除いて、巻回されたマルチフィルムＦを回転主軸２の軸線方向に引き抜いて取り出すようにしている。
【０００４】
しかしながら、従来のマルチフィルム回収機７は、畝Ｕに敷設してあるマルチフィルムＦを剥ぎ取り、その剥ぎ取ったマルチフィルムＦを同時に回収してしまう機構であるため、マルチフィルムＦの下面に付着している水分や泥も同時に巻き取って回収してしまっていた。そのため、回収されるマルチフィルムＦの重量が乾燥時のマルチフィルムＦの重量と比較して増大し、回収されたマルチフィルムＦを廃棄する際に、重量単位で処理費用が掛かる自治体では、廃棄コストが高騰してしまうという問題が発生していた。
【０００５】
そこで、回収されたマルチフィルムＦの重量増加を防止するために、畝に敷設してあるマルチフィルムＦの剥ぎ取りだけを行って巻取回収は行わない装置が提供されている。例えば、実用新案登録第３０３１２４８号公報に開示された農業用被覆シートの剥取装置８は、図１０に示すように、トラクタＴの後部に連結され、ハウジング９の一方の送入口９ａからローラ間にマルチシートＭＳの端部を挿入し、該ローラを回転駆動することで敷設されたマルチシートＭＳを引き上げて、隣接する畝Ｗの上に放下される。
しかしながら、マルチシートＭＳを剥ぎ取って畝Ｕの上に放置して乾燥させた後に、その乾燥後のマルチシートＭＳを回収するためには、回収専用の別の装置が必要となるか、あるいは、人手により回収作業を行う必要がある問題があった。さらに、剥取装置８はトラクタＴで牽引されるため、剥取装置８によるマルチシートＭＳの引き剥がし速度とトラクタＴの走行速度とが釣り合わない場合には、マルチシートＭＳが引きちぎれてしまう場合もあった。
【０００６】
【特許文献１】特開２００１−１８６８１８号公報
【特許文献２】実用新案登録第３０３１２４８号公報
【発明の開示】
【発明が解決しようとする課題】
【０００７】
本発明は、上記した問題に鑑みてなされたものであり、畝に被覆されたマルチフィルムを剥ぎ取る作業と、剥ぎ取って乾燥させた後のマルチフィルムを巻取回収する作業とを一台の装置で可能とすることを課題としている。
【課題を解決するための手段】
【０００８】
上記課題を解決するため、本発明は、機体上に搭載された原動機で回転駆動される巻取ドラムにマルチフィルムを巻き取るもので、上記巻取ドラムは回転主軸に連繋して複数本の巻取アームを周方向に拡縮可能に隣接配置して形成しており、巻取時には巻取ドラムを拡径する共に巻取終了後には縮径させ、巻取ドラムに巻回された上記マルチフィルムを軸線方向に抜き取って回収する装置において、
上記隣接する巻取アームの外周面間の隙間を覆うように取り付けられたカバーと、
該カバーの外周面側に押し当て可能な圧接ローラとを備え、
上記巻取ドラムの回転により、上記カバーと上記圧接ローラとの間でマルチフィルムを挟みながら送り出すことで、マルチフィルムの巻き取りを行わずに畝からの剥ぎ取りのみを行うことができることを特徴としているマルチフィルムの剥取・巻取両用装置を提供している。
【０００９】
上記構成とすると、上記複数本の巻取アームで構成される巻取ドラムの外周に取り付けたカバーと上記圧接ローラとの間にマルチフィルムを挟み込んだ状態で、原動機により巻取ドラムを回転させることで、畝に被覆された前方のマルチフィルムを引き剥がしながらそのまま後方に送出することができ、マルチフィルムの剥ぎ取り作業を行うことができる。また、上記剥ぎ取り作業を行って放置乾燥させた後のマルチフィルムを回収する際には、上記巻取ドラムにマルチフィルムの一端を巻き付けて回転させることでマルチフィルムを巻取ドラムの外周に巻き取る作業を行うことができる。
【００１０】
つまり、上記剥取・巻取両用の剥取装置を用いれば、１台の装置で剥ぎ取り作業と乾燥後の巻き取り作業との両方を行うことができ、１台２役の役目を果たすことを可能としている。
また、マルチフィルムを回収前に乾燥させる必要がない場合には、畝に被覆されたマルチフィルムを剥ぎ取ると同時に巻き取って回収作業を行うこともできる。
【００１１】
上記圧接ローラの上記カバー外周面に対する接触圧を任意に調整可能とする手段を備えていることが好ましい。
【００１２】
マルチフィルムの畝への敷設状態は一様ではなく、マルチフィルムが畝に埋もれながら敷設されているため引き剥がしにくい場合や、マルチフィルムが畝の上に軽く敷設されているため引き剥がし易い場合等があるが、上記構成とすると、上記圧接ローラの上記カバー外周面に対する接触圧を調整可能な手段を設けているので、マルチフィルムの敷設状態に応じた最適な接触圧で剥ぎ取り作業を行うことができる。
なお、上記手段の具体例としては、バネを用いてその収縮力により圧接ローラをカバーを押圧する方向へ付勢し、そのバネの架け渡し位置を変更したり、収縮力の違うバネに代えたりすることで実現することが考えられる。あるいは、ウェイトを載せることで圧接ローラをカバーに押圧させて、そのウェイトの重量を変更することで実現することも考えられる。
【００１３】
上記カバーの外周面には滑り止め部材が取り付けられ、上記圧接ローラと該滑り止め部材との間で上記マルチフィルムを挟むグリップ力を高めている。
【００１４】
上記構成とすると、上記圧接ローラと上記滑り止め部材との間でマルチフィルムを空回りさせることなく確実に挟み込んで送り出すことができる。なお、上記滑り止め部材の具体例としては、上記カバーを取り付けられた巻取ドラムにゴム筒からなる滑り止め部材を外嵌して設けてもよいし、あるいは、ゴム紐を上記カバーを取り付けられた巻取ドラムに巻き付けることにより滑り止め部材としてもよい。また、材質をゴム製とする他に、表面が凹凸形状となったものを上記カバーの外周に取り付けて滑り止めを図ってもよい。
なお、上記カバーと別体で滑り止め部材を設ける代わりに、上記カバー自体の表面に凹凸を形成した滑り止め部を設けるようにしてもよいし、上記カバー自体をゴム製としてもよい。
【００１５】
また本発明は、車輪を設けた機体と、
上記機体上に搭載された原動機で回転駆動される巻取ドラムと、
上記巻取ドラムの外周面側に押し当て可能な圧接ローラとを備え、
上記巻取ドラムの回転により、上記圧接ローラと上記巻取ドラムとの間でマルチフィルムを挟みながら送り出して上記マルチフィルムを畝から剥ぎ取ると共に、該マルチフィルムを上記剥ぎ取る際の反力により機体自体が自走することを特徴としているマルチフィルムの剥取装置を提供している。
【００１６】
上記構成とすると、上記巻取ドラムと上記圧接ローラとの間で畝に敷設されたマルチフィルムの一側を挟み込んだ状態で、原動機により巻取ドラムを回転駆動させてマルチフィルムを畝から引き剥がす作業を行うと、マルチフィルムを送り出す際の反力により上記車輪で接地された機体を自走させることができ、機体走行用の動力を不要とすることができる。さらには、従来のように機体をトラクタ等で牽引して走行させる場合と異なり、マルチフィルムを剥がす反力を利用するため、マルチシートの引き剥がし速度と機体の走行速度とが常に釣り合った状態となり、マルチシートが引きちぎれる問題が全く発生しないという大きな利点もある。
【発明の効果】
【００１７】
上記した説明より明らかなように、本発明によれば、１台の装置でマルチフィルムの剥ぎ取り作業と、乾燥後のマルチフィルムの巻き取り作業との両方を行うことができる。つまり、巻取ドラムの外周に取り付けたカバーと上記圧接ローラとの間にマルチフィルムを挟み込んだ状態で巻取ドラムを回転させることで、畝に被覆された前方のマルチフィルムを引き剥がしながらそのまま後方に送出してマルチフィルムを剥ぎ取る作業を行わせることができる。また、マルチフィルムの一端を巻き付けた状態で巻取ドラムを回転させることで放置乾燥後のマルチフィルムを巻取回収することができる。また、マルチフィルムを回収前に乾燥させる必要がない場合には、畝に被覆されたマルチフィルムを剥ぎ取ると同時に巻き取って回収作業を行うこともできる。
【発明を実施するための最良の形態】
【００１８】
以下、本発明の第１実施形態を図面を参照して説明する。
マルチフィルムの剥取・巻取両用装置（剥取装置）１０は、タバコ等の作物栽培時に畝Ｕに被覆されたマルチフィルムＦを剥ぎ取って放置乾燥させ、その乾燥後のマルチフィルムＦを巻き取り回収するために用いられている。
【００１９】
マルチフィルムの剥取・巻取両用装置１０は、一対の前輪１２及び後輪１３とを連結しマルチフィルムＦで被覆された畝Ｕを跨いで走行する台車１４と、台車１４の上後方に搭載した巻取機１１と、台車１４の上方中央に搭載された原動機１５と、巻取機１１の前方に設置された第１押さえロール１８と、台車１４の前端で上方に立設した振動手段１７と、振動手段１７の前方に延出した前方ガイド枠３１と、巻取機１１の下後方に延出した後方ガイド枠３２と、巻取機１１と原動機１５との間の側方に配置され巻取機１１と振動手段１７の駆動を兼用する動力伝達手段１６等を備えている。
【００２０】
図２、４に示すように、巻取機１１は糸巻形状で、マルチフィルムＦを巻き付ける巻取ドラム４７と、巻取ドラム４７の両端に取り付けたフランジ３７、３８とを備えている。回転中心となる回転主軸３９と同心円上の周囲に、軸線方向に延在する６本の巻取アーム４２を周方向に隣接配置して、６本の巻取アーム４２の外周面で形成される仮想円筒を巻取ドラム４７としている。各巻取アーム４２の長さ方向の両端と回転主軸３９とをそれぞれリンク部材４０の両端にピン４１、４４を軸着してリンク結合している。巻取アーム４２と回転主軸３９との間にはバネ４８を張架して、巻取アーム４２を拡径位置に付勢していると共に、巻き取ったマルチフィルムＦを回収する際はリンク部材４０を回転主軸３９側に倒して巻取ドラム１５を縮径させる構成としている。
【００２１】
一側のフランジ３７は回転主軸３９に固定している一方、他側のフランジ３８は回転主軸３９に着脱自在に取り付けている。フランジ３７、３８の両側には、台車１４と連結された逆Ｕ形状の軸受フレーム４６が立設しており、軸受フレーム４６に設けられた軸受部に回転主軸３９を貫通させている。回転主軸３９の一端には動力伝達手段１６とチェーンベルト（図示せず）を介して接続して巻取ドラム４７の回転動力を得ている。
【００２２】
図３および図５に示すように、６本の巻取アーム４２より構成される巻取ドラム４７の外周面には金属製のカバー４３を間隔をあけて３枚取り付けている。カバー４３は、一端４３ａを巻取アーム４２にピン４１で軸着していると共に、中間部４３ｃを隣接する巻取アーム４２の外面形状に沿って屈曲した形状とし、他端４３ｂを２つ隣の巻取アーム４２の別のカバー４３で覆われた外面に載置している。
巻取アーム４２を覆うカバー４３の外周にはゴム製の筒状体からなる滑り止め部材４５を外嵌している。なお、滑り止め部材４５を取り付ける際には、巻取アーム４２を縮径させた状態として軸線方向からスライド外嵌すると取り付け易い。
【００２３】
図３に示すように、カバー４３を覆っている滑り止め部材４５の外周面側には押圧／離反可能な圧接ローラ２７、２９を設けている。詳しくは、図１、２に示すように、第１押さえロール１８に対して回動自在に取り付けられた支軸２４と、支軸２４に一端が接続されて後方に延在する傾動棒２５と、傾動棒２５の所要位置に取り付けられ左右方向に延在する２つのローラ取付部２６、２８と、ローラ取付部２６、２８の下端側に回転自在に取り付けられた圧接ローラ２７、２９とを備えている。また、圧接ローラ２７、２９は、それぞれのローラ取付部２６、２８に対して６個づつ取り付けられており、圧接ローラの外周面はゴム製としている。なお、本実施形態では圧接ローラ２７、２９を２列設けているが、１列でも３列以上でも構わない。
【００２４】
そして、傾動棒２５の前方側には取付孔４８ａを複数穿設したバネ取付部４８を下方に突出させており、台車１４のフレームに設けたバネ取付孔４９との間にバネ３０を張架することで、傾動棒２５が下方に付勢されて、巻取ドラム４７の外周側のカバー４３を覆っている滑り止め部材４５に圧接ローラ２７、２９を押圧させている。
なお、バネ取付部４８の複数の取付孔４８ａのうちからバネ３０を架け渡す位置を変更することで、圧接ローラ２７、２９の接触圧を調整可能としているが、収縮力の異なるバネ３０に変更することで接触圧を調整してもよい。
また、圧接ローラ２７、２９を滑り止め部材４５側より離反させたい場合には、傾動棒２５の他端２５ａを把持して持ち上げるとよい。
【００２５】
振動手段１７は、回転自在の支軸２１と、支軸２１に接続板３３を介して回転自在に連結された前端ロール２０と、接続板２３の後方突出端において回転自在に連結された第２押さえロール２２とを備えており、支軸２１には接続板３４及び接続軸３５を介してクランク棒１９が接続されている。
【００２６】
動力伝達手段１６は原動機１５に接続されており、内部で巻取機１１の回転主軸３９に回転動力を伝達していると共に、クランク棒１９の往復運動を発生させている。なお、動力伝達手段１６のケースに連続して原動機１５の上方を覆う庇部３６を突出させている。
【００２７】
次に、マルチフィルムＦの剥ぎ取り作業について説明する。
図１、３に示すように、畝Ｕを被覆するマルチフィルムＦを剥がして前方ガイド枠３１の内部に下方から通して前端ロール１５の上側に巻き掛けた後、第２押さえロール２２及び第１押さえロール１８の下面に当接させて、巻取ドラム４７の外周のカバー４３を覆っている滑り止め部材４５と圧接ローラ２７、２９との間に挟み込んでいる。この挟み込まれたマルチフィルムＦは、原動機１５の駆動力により巻取ドラム４７と共にカバー４３および滑り止め部材４５が回転されることで、圧接ローラ２７、２９との間の摩擦力により後方に送り出され、この送出されたマルチフィルムＦは後方ガイド枠３２の内部を通って、畝Ｕに残存している残幹Ｍの上にそのまま載置される。
【００２８】
また、マルチフィルムＦの剥ぎ取り時には、動力伝達手段１６を介して原動機１５に接続されたクランク棒１９が往復することにより、接続軸３５と接続板３４を介して支軸２１が往復回転し、接続板３３を介して前端ロール２０が揺動するので、マルチフィルムＦが振動してマルチフィルムＦ上に付着した土やゴミを振り落とすことができると同時に、残幹Ｍや土中からマルチフィルムＦを剥がし易くする効果がある。さらに、前輪１２と後輪１３が台車１４を介して巻取機１１と連結されているので、マルチフィルムＦを巻取機１１で剥ぎ取る際の反力により剥取・巻取両用装置１０自体が自走するので、作業性が向上する。
【００２９】
そして、畝Ｕより引き剥がされて残幹Ｍの上に載置されたマルチフィルムＦは、一定時間放置することでマルチフィルムＦに付着した水分や泥などを乾燥除去する。
なお、滑り止め部材４５を使用せずに、マルチフィルムＦを圧接ローラ２７、２９とカバー４３との間で挟み込んで送出するようにしてもよい。
【００３０】
次に、マルチフィルムＦの巻取回収作業について説明する。
図６に示すように、上記乾燥後のマルチフィルムＦを前方ガイド枠３１の内部に下方から通して前端ロール１５の上側に巻き掛けた後、第２押さえロール２２及び第１押さえロール１８の下面に当接させて、回転する巻取機１１の巻取ドラム４７で巻き取っている。
このマルチフィルムＦの巻き取り作業の場合は、巻取ドラム４７の外面側のカバー４３に外嵌していた滑り止め部材４５は取り外している。また、傾動棒２５を上方に持ち上げることにより圧接ローラ２７、２９を上方に離反させて、巻取作業の邪魔にならないようにしている。なお、圧接ローラ２７、２９を上方に離反させずに、カバー４３に当接したまま巻き取り作業を行ってもよい。
【００３１】
マルチフィルムＦはカバー４３を装着した状態の巻取ドラム４７の外周に巻き取られていくので、カバー４３がロール状に巻き取られたマルチフィルムＦを受け止めることができ、それぞれの巻取アーム４２の隙間ＳにマルチフィルムＦが落ち込まないようになっている。また、マルチフィルムＦの巻取終了後は、一方のフランジ部３８を取り外し、かつ、リンク部材４０を傾動させて巻取ドラム４７を縮径状態としてマルチフィルムＦとカバー４３との密着を緩和させた状態でマルチフィルムＦを軸線方向へと引き抜いて回収する。
【００３２】
図８は第２実施形態を示す。
本実施形態のマルチフィルムの剥取・巻取両用装置は、圧接ローラ２７を一列だけ設けている。また、傾動棒２５の支軸２４にレバー部５０を連結しており、台車１４のフレームとレバー部５０との間にバネ５１を張架していることにより、バネ５１がレバー部５０を付勢する力が働き、圧接ローラ２７が支軸２４を支点として巻取ドラム４７の外周のカバー４３を覆っている滑り止め部材４５に圧接される。一方、作業者がレバー部５０をバネ５１に抗して傾動させることで、圧接ローラ２７が滑り止め部材４５より上方に離反される。
【００３３】
また、機体後方においては、台車１４のフレームとスライド手段５５を介して連結された略Ｕ字状のスライド枠５３が設けられており、スライド枠５３の後方部より上方に突設されたガイド枠部５４に剥ぎ取られたマルチフィルムＦを挿通して、マルチフィルムＦを後方に正しく導いている。
なお、他の構成は第１実施形態と同様であるため、同一符号を付して説明を省略する。
【図面の簡単な説明】
【００３４】
【図１】本発明の第１実施形態にかかるマルチフィルムの剥取・巻取両用装置の剥ぎ取り作業時の側面図である。
【図２】マルチフィルムの剥取・巻取両用装置の上面図である。
【図３】要部断面図である。
【図４】カバー装着前の巻取機の斜視図である。
【図５】カバー装着後の巻取機の斜視図である。
【図６】巻き取り作業時の側面図である。
【図７】第２実施形態のマルチフィルムの剥取・巻取両用装置の剥ぎ取り作業時の斜視図である。
【図８】従来の巻取装置を装着したマルチフィルム回収機を示す全体図である。
【図９】従来のマルチフィルムの巻取装置の断面図である。
【図１０】別の従来例を示す図面である。
【符号の説明】
【００３５】
１０    剥取・巻取両用装置
１１    巻取機
１４    台車（機体）
１５    原動機
１７    振動装置
２４    支軸
２５    傾動棒
２７、２９  圧接ローラ
３０    バネ
４２    巻取アーム
４３    カバー
４５    滑り止め部材
４７    巻取ドラム
Ｆ      マルチフィルム
Ｍ      残幹
Ｕ      畝
【図１】
2005095130.tif 000003
【図２】
2005095130.tif 000004
【図３】
2005095130.tif 000005
【図４】
2005095130.tif 000006
【図５】
2005095130.tif 000007
【図６】
2005095130.tif 000008
【図７】
2005095130.tif 000009
【図８】
2005095130.tif 000010
【図９】
2005095130.tif 000011
【図１０】
2005095130.tif 000012